【手続補正書】
【提出日】平成28年1月18日(2016.1.18)
【手続補正１】
【補正対象書類名】特許請求の範囲
【補正対象項目名】全文
【補正方法】変更
【補正の内容】
【特許請求の範囲】
【請求項１】
キャリアアグリゲーション（ＣＡ）方式をサポートする通信システムにおけるユーザ端末機（ＵＥ）が物理アップリンク共有チャンネル（ＰＵＳＣＨ）信号を送信する方法であって、
特定セルに対するＰＵＳＣＨタイミング関係に基づいて、基地局（ＢＳ）に前記特定セルに対するＰＵＳＣＨ信号を送信するステップを含み、
前記ＵＥは、前記特定セルを含む、少なくとも２個のセルで構成され、
前記少なくとも２個のセルに対するアップリンク（ＵＬ）／ダウンリンク（ＤＬ）構成は相異なり、
前記特定セルに対するＰＵＳＣＨタイミング関係は、前記通信システムでサポートするＵＬ／ＤＬ構成のうち第１のＵＬ／ＤＬ構成に対応するＰＵＳＣＨタイミング関係に基づいて決定されることを特徴とする方法。
【請求項２】
キャリアアグリゲーション（ＣＡ）方式をサポートする通信システムにおける基地局（ＢＳ）が物理アップリンク共有チャンネル（ＰＵＳＣＨ）信号を受信する方法であって、
ユーザ端末機（ＵＥ）から特定セルに対するＰＵＳＣＨ信号を受信するステップを含み、
前記特定セルに対するＰＵＳＣＨ信号は、前記特定セルに対するＰＵＳＣＨタイミング関係に基づいて送信され、
前記ＵＥは、前記特定セルを含む、少なくとも２個のセルで構成され、
前記少なくとも２個のセルに対するアップリンク（ＵＬ）／ダウンリンク（ＤＬ）構成は相異なり、
前記特定セルに対するＰＵＳＣＨタイミング関係は、前記通信システムでサポートするＵＬ／ＤＬ構成のうち第１のＵＬ／ＤＬ構成に対応するＰＵＳＣＨタイミング関係に基づいて決定されることを特徴とする方法。
【請求項３】
前記特定セルに対するＰＵＳＣＨタイミング関係は、ＵＬグラントからＰＵＳＣＨへのタイミング関係と、物理ＨＡＲＱ指示子チャンネル（ＰＨＩＣＨ）からＰＵＳＣＨへのタイミング関係と、ＰＵＳＣＨからＰＨＩＣＨへのタイミング関係と、を含むことを特徴とする請求項１又は請求項２に記載の方法。
【請求項４】
前記ＵＥに対してクロスキャリアスケジューリングが使用され、前記ＵＥが全二重（full-duplex）送信モードで動作し、前記特定セルがスケジューリングセル(scheduling cell)である場合、前記第１のＵＬ／ＤＬ構成は、前記スケジューリングセルに対するＵＬ／ＤＬ構成であり、
前記ＵＥに対してクロスキャリアスケジューリングが使用され、前記ＵＥが全二重送信モードで動作し、前記特定セルがスケジューリングされるセル(scheduled cell)である場合、前記第１のＵＬ／ＤＬ構成は、前記通信システムでサポートするＵＬ／ＤＬ構成のうち特定ＵＬ／ＤＬ構成であり、
前記スケジューリングセルは、ＵＬグラント又はＨＡＲＱ−ＡＣＫを受信するセルであり、
前記スケジューリングされるセルは、前記ＰＵＳＣＨ信号を送信するセルであることを特徴とする請求項３に記載の方法。
【請求項５】
前記特定ＵＬ／ＤＬ構成は、第１の条件及び第２の条件のうち一つを満足させるＵＬ／ＤＬ構成であり、
前記第１の条件は、前記スケジューリングされるセルに対するＵＬ／ＤＬ構成が同一のＨＡＲＱプロセス識別子（ＩＤ）を有するクロスキャリアスケジューリングされるＰＵＳＣＨに対してＵＬ／ＤＬ構成１、ＵＬ／ＤＬ構成２、ＵＬ／ＤＬ構成３、ＵＬ／ＤＬ構成４、及びＵＬ／ＤＬ構成５のうち一つである場合、ＰＵＳＣＨ信号送信が位置するサブフレームのシリアル番号は同一であるという条件であり、
前記第２の条件は、前記スケジューリングされるセルに対するＵＬ／ＤＬ構成が同一のＨＡＲＱプロセスＩＤを有するクロスキャリアスケジューリングされるＰＵＳＣＨに対してＵＬ／ＤＬ構成０及びＵＬ／ＤＬ構成６のうち一つである場合、前記ＰＵＳＣＨ信号送信が位置するサブフレームのシリアル番号は相異するという条件であることを特徴とする請求項４に記載の方法。
【請求項６】
前記第１の条件又は前記第２の条件を満足させるＵＬ／ＤＬ構成が複数個存在する場合、前記特定ＵＬ／ＤＬ構成は、前記複数個のＵＬ／ＤＬ構成のうち優先順位に基づいて決定されたＵＬ／ＤＬ構成であることを特徴とする請求項５に記載の方法。
【請求項７】
前記優先順位は、前記スケジューリングセルに対するＵＬ／ＤＬ構成に対する優先順位及び前記スケジューリングされるセルに対するＵＬ／ＤＬ構成に対する優先順位に基づいて決定されることを特徴とする請求項６に記載の方法。
【請求項８】
前記特定ＵＬ／ＤＬ構成は、最大個数のアップリンクサブフレームが前記ＰＵＳＣＨタイミング関係に基づいてスケジューリングされるという条件を満足させることを特徴とする請求項４に記載の方法。
【請求項９】
前記条件を満足させるＵＬ／ＤＬ構成が複数個存在する場合、前記特定ＵＬ／ＤＬ構成は、前記複数個のＵＬ／ＤＬ構成のうち優先順位に基づいて決定されたＵＬ／ＤＬ構成であることを特徴とする請求項８に記載の方法。
【請求項１０】
前記優先順位は、前記スケジューリングセルに対するＵＬ／ＤＬ構成に対する優先順位及び前記スケジューリングされるセルに対するＵＬ／ＤＬ構成に対する優先順位に基づいて決定されることを特徴とする請求項９に記載の方法。
【請求項１１】
前記ＵＥに対してノンクロスキャリアスケジューリングが使用され、前記ＵＥが半二重（half-duplex）送信モードで動作し、前記特定セルが第２のセル（ＳＣｅｌｌ）である場合、
前記ＳＣｅｌｌに対するＵＬ／ＤＬ構成がＵＬ／ＤＬ構成０である場合、前記第１のＵＬ／ＤＬ構成は、前記ＵＬ／ＤＬ構成０であり、
前記ＳＣｅｌｌに対するＵＬ／ＤＬ構成がＵＬ／ＤＬ構成６であり、基本セル（ＰＣｅｌｌ）に対するＵＬ／ＤＬ構成がＵＬ／ＤＬ構成０である場合、前記第１のＵＬ／ＤＬ構成は、前記ＵＬ／ＤＬ構成０であり、
ＰＣｅｌｌに対するＵＬ／ＤＬ構成がＵＬ／ＤＬ構成０と相異する場合、前記第１のＵＬ／ＤＬ構成は、ＵＬ／ＤＬ構成６であり、
前記ＳＣｅｌｌに対するＵＬ／ＤＬ構成がＵＬ／ＤＬ構成０及びＵＬ／ＤＬ構成６と相異する場合、前記第１のＵＬ／ＤＬ構成は、前記ＳＣｅｌｌが使用することが可能なＤＬフレームの個数及び位置に基づいて決定されることを特徴とする請求項９に記載の方法。
【請求項１２】
前記ＵＥに対してノンクロスキャリアスケジューリングが使用され、前記ＵＥが半二重（half-duplex）送信モードで動作し、前記特定セルが第２のセル（ＳＣｅｌｌ）である場合、
前記ＳＣｅｌｌに対するＵＬ／ＤＬ構成がＵＬ／ＤＬ構成０又はＵＬ／ＤＬ構成６である場合、前記第１のＵＬ／ＤＬ構成は、ＵＬ／ＤＬ構成０又はＵＬ／ＤＬ構成６であり、
前記ＳＣｅｌｌに対するＵＬ／ＤＬ構成がＵＬ／ＤＬ構成０及びＵＬ／ＤＬ構成６と相異する場合、前記第１のＵＬ／ＤＬ構成は、前記ＰＵＳＣＨタイミング関係に基づいてスケジューリングされることが可能なアップリンクサブフレームの個数に基づいて決定されることを特徴とする請求項３に記載の方法。
【請求項１３】
前記ＵＥに対して全二重クロスキャリアスケジューリングが使用され、前記特定セルがスケジューリングされるセル(scheduled cell)であり、基本セル（ＰＣｅｌｌ）に対するＵＬ／ＤＬ構成がＵＬ／ＤＬ構成０又はＵＬ／ＤＬ構成６であり、前記スケジューリングされるセルに対するＵＬ／ＤＬ構成がＵＬ／ＤＬ構成０又はＵＬ／ＤＬ構成６である場合、
スケジューリングセルに対するＵＬ／ＤＬ構成がＵＬ／ＤＬ構成６であり、前記スケジューリングされるセルに対するＵＬ／ＤＬ構成がＵＬ／ＤＬ構成０である場合、前記第１のＵＬ／ＤＬ構成は、前記ＵＬ／ＤＬ構成０又はＵＬ／ＤＬ構成６であり、
前記スケジューリングセルに対するＵＬ／ＤＬ構成がＵＬ／ＤＬ構成０であり、前記スケジューリングされるセルに対するＵＬ／ＤＬ構成がＵＬ／ＤＬ構成６である場合、前記第１のＵＬ／ＤＬ構成は、前記ＵＬ／ＤＬ構成０又はＵＬ／ＤＬ構成６であることを特徴とする請求項３に記載の方法。
【請求項１４】
前記ＵＥに対して半二重クロスキャリアスケジューリングが使用され、前記特定セルがスケジューリングされるセル(scheduled cell)であり、基本セル（ＰＣｅｌｌ）に対するＵＬ／ＤＬ構成がＵＬ／ＤＬ構成０又はＵＬ／ＤＬ構成６であり、前記スケジューリングされるセルに対するＵＬ／ＤＬ構成がＵＬ／ＤＬ構成０又はＵＬ／ＤＬ構成６である場合、
スケジューリングセルに対するＵＬ／ＤＬ構成がＵＬ／ＤＬ構成６であり、前記スケジューリングされるセルに対するＵＬ／ＤＬ構成がＵＬ／ＤＬ構成０である場合、前記第１のＵＬ／ＤＬ構成は、前記ＵＬ／ＤＬ構成６であり、
前記スケジューリングセルに対するＵＬ／ＤＬ構成がＵＬ／ＤＬ構成０であり、前記スケジューリングされるセルに対するＵＬ／ＤＬ構成がＵＬ／ＤＬ構成６である場合、前記第１のＵＬ／ＤＬ構成は、前記ＵＬ／ＤＬ構成０、又はＵＬ／ＤＬ構成６、又はＵＬ／ＤＬ構成１であることを特徴とする請求項３に記載の方法。
【請求項１５】
前記ＵＥに対して半二重ノンクロスキャリアスケジューリングが使用され、前記特定セルがノンクロスキャリアスケジューリングされるセル(scheduled cell)であり、基本セル（ＰＣｅｌｌ）に対するＵＬ／ＤＬ構成がＵＬ／ＤＬ構成０又はＵＬ／ＤＬ構成６であり、前記ノンクロスキャリアスケジューリングされるセルに対するＵＬ／ＤＬ構成がＵＬ／ＤＬ構成０又はＵＬ／ＤＬ構成６である場合、
前記ＰＣｅｌｌに対するＵＬ／ＤＬ構成がＵＬ／ＤＬ構成６であり、前記ノンクロスキャリアスケジューリングされるセルに対するＵＬ／ＤＬ構成がＵＬ／ＤＬ構成０である場合、前記第１のＵＬ／ＤＬ構成は、前記ＵＬ／ＤＬ構成０又はＵＬ／ＤＬ構成１であり、
前記ＰＣｅｌｌに対するＵＬ／ＤＬ構成がＵＬ／ＤＬ構成０であり、前記ノンクロスキャリアスケジューリングされるセルに対するＵＬ／ＤＬ構成がＵＬ／ＤＬ構成６である場合、前記第１のＵＬ／ＤＬ構成は、前記ＵＬ／ＤＬ構成０又はＵＬ／ＤＬ構成６であることを特徴とする請求項３に記載の方法。
【請求項１６】
請求項１又は、請求項３乃至請求項１５のうち何れか一項に記載の方法を実行するように構成されることを特徴とするユーザ端末機。
【請求項１７】
請求項２乃至請求項１５のうち何れか一項に記載の方法を実行するように構成されることを特徴とする基地局。